(57)【要約】  １つ以上のコンピュータのディジタルデータ記憶装置用の耐火性の強制空冷式格納装置を提供する。実装可能なディジタルデータ記憶装置を耐火性の格納装置内に配置する。格納装置内に１つ以上の開口部を形成する。耐火性の可動ハッチは各開口部に近設され、各ハッチは、開口部を閉じた状態の閉位置と、外気が中を通過できる開位置との間で動かすことができる。送風機は、開口部の中に外気を能動的に通してデータ記憶装置を冷却するために、格納装置の内側又は外側に配置される。ハッチ密閉システムは、閾値温度下で自動的に各ハッチを密閉するよう配設される。ハッチ密閉システムは感温素子を有し、この感温素子は閾値温度下で起動し、ハッチを閉位置に移動させる。
2007535074.tif 000002
【特許請求の範囲】
【請求項１】
火災に起因するデータの損傷又は損失から実装可能なコンピュータのディジタルデータ記憶装置を保護するための装置であって、
実装可能なディジタルデータ記憶装置と、
前記実装可能なディジタルデータ記憶装置用の耐火性の格納装置と、
前記格納装置内に形成した開口部と、
前記開口部に近設した耐火性の可動ハッチと、
前記データ記憶装置を冷却するために前記開口部の中に外気を能動的に通すための送風手段と、
閾値温度で自動的に前記ハッチを閉じるためのハッチ密閉手段とを備え、
前記ハッチは、該ハッチが前記開口部を閉じる閉位置と、外気が前記開口部を通過できる開位置との間で可動であることと、
前記ハッチ密閉手段は感温素子を有し、該感温素子は通常は前記ハッチを開放状態で維持しているが、閾値温度で起動して前記ハッチを前記閉位置に移動させることと
を特徴とするディジタルデータ記憶装置の保護装置。
【請求項２】
前記格納装置内に形成した第２の開口部と、該第２の開口部に近設した第２の耐火性の可動ハッチとを備える、請求項１に記載の装置。
【請求項３】
前記可動ハッチは、
前記閉位置において前記開口部を摺動可能に係合する本体部分と、
前記本体によって担持されるキャップと、
複数の平面型タブを有する前記感温素子とを備え、
前記キャップはその閉位置において前記格納装置を密閉するのに適すること
を特徴とする、請求項１に記載の装置。
【請求項４】
前記感温素子は、火災の場合に、溶融し前記可動ハッチと前記格納装置との間を密閉することを特徴とする、請求項３に記載の装置。
【請求項５】
前記ハッチ密閉手段は、前記ハッチに接続されたバネを備え、該バネは前記閉位置の方へ前記ハッチを動かすことを特徴とする、請求項１に記載の装置。
【請求項６】
前記ハッチ密閉手段は、ソレノイドを備える、請求項１に記載の装置。
【請求項７】
前記ハッチ密閉手段は、蒸発物質及び膨張可能なブラダーを備え、該ブラダーは前記閾値温度を検出すると前記ハッチを閉じることを特徴とする、請求項１に記載の装置。
【請求項８】
前記ハッチ密閉手段は、形状記憶金属部材を備える、請求項１に記載の装置。
【発明の詳細な説明】
【技術分野】
【０００１】
本出願は、２００４年４月２６日に出願された米国仮出願番号６０／５６５，７１３の優先権主張するものである。
【０００２】
本発明は、一般に、火災におけるデータの損傷及び損失から、実装可能なコンピュータのディジタルデータ記憶装置を保護する装置に関するものであり、より詳しくは、初めて、実装可能なコンピュータのディジタルデータ記憶装置用の、小型の耐火性の強制空冷式格納装置を提供するものである。
【背景技術】
【０００３】
代表的なコンピュータのディジタルデータ記憶装置は、情報化されたディジタルデータを保管及び検索するためにディジタルデータを能動的に読み込み及び書き込みできる、コンピュータハードドライブ、光学ディスクドライブ、固体記憶装置、テープドライブ、コンピュータ、又はその他装置を有する。
【０００４】
ディジタルデータ記憶装置が、莫大な量のデータを記憶することが可能になるにつれて、火災におけるディジタルデータ記憶装置のデータの損失はますます壊滅的なものとなる。稼働中のディジタルデータ記憶装置用の、小型で信頼性の高い耐火性の格納装置を提供する必要があるのは明らかである。
【０００５】
従来技術は、例えば、エングラー（Engler）：特許文献１に記載の発明のような、実装可能なディジタルデータ記憶装置用の比較的大きい格納装置を包含しており、エングラーの設計した装置はディジタルデータ記憶装置より発生した熱を容器の断熱壁を通して放散させる。
エングラーの設計は、能動冷却システムや送風機駆動冷却システムを全く備えていないので、比較的大きい格納装置を必要とする。本発明は、対照的に、エングラーの設計した格納装置の何分の１かのサイズである、小型の格納装置を提供する。主にエングラーの設計した装置には強制空冷システムが存在しないために、本発明が小型化を達成する。
【特許文献１】米国特許第６１５８８３３号明細書
【０００６】
従来技術は、例えば、ピル（Pihl）等：特許文献２に記載の発明のような、「受動」冷却システムを有する、ディジタルデータ記憶装置用の他の格納装置を包含しており、ピル等の設計した装置は部分的に開放された換気用扉を通る対流によって冷却する。この技術は、対流を生じるために送風機及び他の能動素子を全く用いてないので、「自然対流」と呼ばれる。キキニス（Kikinis）：特許文献３に記載の発明は、より大きな放熱構造を有するかなり複雑な受動熱交換器を利用している。その設計は、閾値温度が検出されるときに、放熱空間を満たすために扱いにくい断熱射出機構を必要とする。
【特許文献２】米国特許第５４７９３４１号明細書
【特許文献３】米国特許第５６２３５９７号明細書
【０００７】
従来技術は、キション（Kishon）等：２００４年４月１日付けの特許文献４も包含している。キション等の設計した装置は、データ記憶装置（特許文献４中の段落［００２１］参照）より発生した熱が装置のカバーへネジを通して伝わる受動的伝導を利用している。この技術は、金属ネジを通して移動可能な熱量が比較的小さいので限界がある。本発明による能動的な送風機駆動冷却は、極めてより大きな冷却能力を達成する。
【特許文献４】米国特許公開第２００４００６４６３１号明細書
【０００８】
従来技術は、実装可能なディジタルデータ記憶装置用の強制空冷システムも包含しているが、小型な耐火性の格納装置と共には使用されていない。
【発明の開示】
【発明が解決しようとする課題】
【０００９】
本発明は、１つ以上の耐火性の可動ハッチを有する小型の耐火性の格納装置を提供する。その開位置において、可動ハッチは外気への吸気路および／または排気路を配設する。送風機駆動冷却システム（「強制対流」とも称する）は、外気によってディジタルデータ記憶装置を能動的に冷却する。本明細書及び特許請求の範囲で用いられる、単語「送風機」及び「送風手段」は広義に用いられ、強制的に空気の対流を生じるために使用される、羽根付き送風機、かご型送風機、ブロワ、羽根車及び他の能動素子を含む。所定の温度が検出されるときに、１つ以上の可動ハッチは自動的に閉じる。ハッチを閉じる機構は、制限されるものではなく、特定の温度で溶融または膨張してハッチを閉じさせる、共晶金属、プラスチック、ゴム、化学物質、液体、固体又はワックス等の感温素子でよい。感温素子は、膨張又は収縮する作動ばねと共に用いてハッチを閉じることができる。感温素子が格納装置の上部を支えていて、素子が溶融するときに重力でハッチを閉じることもできる。あるいは、可動ハッチ又は換気用扉は、ソレノイドにより電子的に閉じることができ、このソレノイドは特定の温度が検出されるときに、熱電対又は他の素子により起動する。他の電子作動手段又は他の受動的手段（例えば、感温素子）も同様に自動的にハッチまたは換気用扉を閉めるために利用できる。更に、他の実施形態では、特定の温度が検出されるときに、能動的に（例えば、電子作動により）又は、受動的に（例えば、感温素子により）、自動で閉じられる吸気口及び排気口、又は吸気路及び排気路を配設している。他のバリエーションでは、一縁部に沿って蝶番を取り付けることにより、又は、例えば、格納装置の上部（又は上壁）に可動部を設けることにより、格納装置の上部（または上壁）を開閉する。「感温素子」は、例えば、共晶金属、ワックス、プラスチック、ゴム、化学物質、液体、固体、電子感知器又は、電子アクチュエータ等のいずれかである。また、複数のデータ記憶装置は、単一の格納装置の中で「ラックマウント型」であってもよい。
【００１０】
本明細書に記載の各実施例において、感温素子は閾値温度下で「起動」する。例えば、溶融可能なタブは溶融することにより起動し、温度センサに連結したソレノイドは温度センサに反応してアームを伸長又は収縮することにより起動し、また、蒸発物質は閾値温度下で膨張することにより起動する。
【課題を解決するための手段】
【００１１】
本発明の第１の目的は、大容量データ記憶装置を冷却できる強制空冷システムを有する、実装可能なコンピュータのディジタルデータ記憶装置用の耐火性の格納装置を提供することである。
【００１２】
本発明の次の目的は、最小限の可動部を備えた極めて信頼性の高い検出システム及び作動システムを有する、稼働中のディジタルデータ記憶装置用の耐火性の格納装置を提供することである。
【００１３】
本発明の次の目的は、誤報に関連して従来技術のシステムがもたらす損傷及び混乱、及び誤報を実質的に減らす又は除去する、実装可能なコンピュータのディジタルデータ記憶装置用の耐火性の格納装置を提供することである。
【００１４】
また、本発明の他の目的は、データ記憶装置の冷却能力に優れ、同時に比較的小型である、１つ以上の稼働中のコンピュータのディジタルデータ記憶装置用の、耐火性の格納装置を提供することである。
【発明を実施するための最良の形態】
【００１５】
本発明の他の目的及び利点は、以下の説明及び図面から明らかにしていく。
【００１６】
本明細書及び特許請求の範囲で用いられる、単語「耐火性の」とは、格納装置が特定の期間高温条件にさらされた場合に、格納装置の中のディジタルデータ記憶装置からのデータの損失を防ぐことができる格納装置を指す。
【００１７】
図１は、本発明の一実施例の概略図であり、実装可能なコンピュータのディジタルデータ記憶装置１０を、全体を２０で示す耐火性の格納装置の中に担持する。耐火性の格納装置２０は、下壁又は底壁２１、上壁２２及び側壁２３、２４を有する。格納装置は図１には図示されていない剛体の端壁も有する。各側壁２３，２４は可動ハッチ５１，５２をそれぞれ担持する。可動ハッチ５１，５２はそれぞれ側壁２３，２４上に形成される開口部又は通路３１，３２に近設される。図１において、可動ハッチ５１，５２は第１の位置、すなわち開位置で示され、外気は開口部又は通路３１，３２を通って流れることができる。流入する空気は開口部又は通路３１，３２を通って流れ、送風機４０によってディジタルデータ記憶装置１０を横切る矢印が示すように流され、排気路３１を通る矢印が示すように排気される。
【００１８】
図１に示す開位置において、感温スペーサ素子７１，７２はハッチ５１，５２にそれぞれ担持される。スペーサ７１，７２は、所定の温度、例えば、１５０℃（３００°Ｆ）で溶融するように設計された、共晶金属又はワックスからなる。
【００１９】
可動ハッチ５１，５２は、ブラケット６５，６６で上壁２２に順番に据え付けられたバネ６１，６２により開位置に保持される。
【００２０】
送風機４０用だけでなくディジタルデータ記憶装置１０用の電力も、ケーブル８０を通って底部２１を貫通して格納装置に入る。選定可能な感温フューズ（図示せず）は、所定の温度、例えば、１５０℃（３００°Ｆ）を検出したとき、ディジタルデータ記憶装置１０及び送風機４０への電力を切るのに利用できる。
【００２１】
格納装置２０は着脱可能なセグメント（図１には示せず）も有し、データ記憶装置１０の取り付け及び取り外しが可能となる。好適な着脱可能なセグメントは着脱可能な蓋であり、下記に示す。
【００２２】
図２は、所定の温度になった場合の図１の実施例を示す。スペーサ７１，７２は溶融し、可動ハッチ５１，５２はバネ６１，６２が伸長することにより閉位置へ移動した。ディジタルデータ記憶装置１０及び送風機４０への電力は、感温フューズがとぶか又は、熱により電源又はデータライン８０が壊れたことにより遮断されている。あるいは、電力供給ライン又はデータラインは、極端な外気温が内側のディジタルデータ記憶装置を損傷するほど十分な熱経路を生まない程度に十分小さいゲージからできていても良い。図１及び図２に示す実施例において、火災を示す閾値温度に達するときに、バネ６１，６２は感温素子７１，７２と共に、自動的にハッチ５１，５２を閉じるためのハッチ密閉手段を成す。
【００２３】
閾値温度が検出され、スペーサ７１，７２が溶融するのに十分な時間継続した場合、感温スペーサ７１，７２は活性化し溶融することに注意されたい。この特徴は、一部の従来技術の装置に固有の弱点である、誤報を本質的に取り除く。更に、一部の従来技術の装置は、誤報の場合には断熱材又は他の部材の故障を生じさせ、整理するには厄介な状態に陥り、関連した休止時間を引き起こす。
【００２４】
図３Ａは、図１，２に示す可動ハッチ５２と感温スペーサ７２を示す。可動ハッチ５２は図１，２に示すように、側壁２４上の開口部３２に摺動可能に係合する円筒状本体部分５３を有する。キャップ部分５４は本体５３と単一構造で形成される。
キャップ５４は、ハッチ５２が図２に示す閉位置に移動するときに壁２４の内面に係合する、平らな前面５５を有する平円盤である。キャップの直径は本体部分５３よりも大きい。感温素子は、本体部分５３の端部５８に接続される平面型タブで、半径方向外側に延在するタブ７２を有する。この形状は冷却空気を感温素子７２の間を通過させ、データ記憶装置１０を継続的に冷却することができる。本体部分５３及びキャップ部分５４は射出成型し、耐火性の断熱材で満たすことが好ましい。平面型タブ７２はハッチを開位置に保持する。
【００２５】
図３Ｂは、平面型タブ７２ａが本体５３ａの円筒周面上にあって半径方向外側に延在していることを除き、図３Ａに示すハッチデザイン５２に同様な他のハッチデザイン５２ａを示す。
【００２６】
図４は、可動ハッチ１５２の他の形状、及び側壁１２４内の開口部１３２の他の形状を示す。開口部１３２の形状は円錐台形である。ハッチ１５２は側壁１２４内の開口部１３２の形状と同一な円錐台形状の本体部分１５３を有する。平面型タブ１７５は感温性を有する。可動ハッチ１５２は図１に示すようなブラケットに配設されたバネによって可動する。バネ及びブラケットは簡潔化のため図４からは省略する。他の形状を側壁内の開口部及び可動ハッチに利用することもできる。例えば、ハッチは格納装置の底壁又は上壁内に配設することができる。好適な実施例は、対向する側壁内に配設した２つの可動ハッチを利用している。
【００２７】
図５は、本発明の他の実施例の分解組立斜視図である。ディジタル記憶装置２１０は内部の取付板２９０に配設される。耐火性の格納装置基部２２０は底壁２２１、側壁２２３，２２４及び端壁２２５，２２６を有する。着脱可能な蓋２２２は耐火性の材料から成り、格納装置基部２２０から完全に取り外しでき、データ記憶装置２１０の取り付け及び取り外しを可能にする。図５に示す実施例において、溶融可能なスペーサ２７１，２７２を担持する可動ハッチ２５１，２５２を、耐火性の格納装置基部２２０の側壁２２３内の開口部２３１，２３２に共に近設する。開口部２３１ａ，２３２ａは内部の取付板２９０内に形成され、可動ハッチ２５１，２５２の取り付けを容易にする。送風機２４０は吸気用開口部２３２に近設され、空気を格納装置の中へ、そして排気用開口部２３１を通って外向きに通す。選定可能な薄板金から成る外ケース２９１は耐火性の格納装置基部２２０及び耐火性の蓋２２２を保護するために配設される。同様に、金属製のリアカバー２９２は耐火性の格納装置基部２２０の後壁２２４を保護するために配設される。選択可能なプラスチック製のベゼル２９５も同様に配設される。バネ２６１，２６２は側壁２２３に対して可動ハッチ２５１，２５２を加圧する。
【００２８】
図６Ａ〜９Ｂは、１つ以上の可動ハッチと共に用いられている、閾値温度で溶融する、感温素子を利用する本発明の他の実施例を示す。
【００２９】
図６Ａは、格納装置３２０及び単一のデータ記憶装置３１０を有する実施例を示す。この実施例は、格納装置３２０の側壁３２３内に形成した開口部３３１に近設される単一の可動ハッチ３５１を利用している。送風機３４０は矢印の示す方向に外気を循環し、これにより、空気はハッチ３５１の上方で内向きに流れ、データ記憶装置３１０を横切って流れ、ハッチ３５１の反対側周辺で排気される。あるいは、送風機３４０を開口部３３１の下縁に近設して、空気をハッチ３５１の下方で内向きに吹き込み、データ記憶装置３１０を横切って上向きに循環し、そしてハッチ３５１の上方で外側へ排気することができる。
【００３０】
図６Ｂは、図６Ａのハッチ３５１の閉位置を示す。溶融可能なタブ３７１が溶融し、バネ３６１がハッチ３５１を閉じることができる。
【００３１】
図７Ａ，７Ｂは、格納装置４２０及び単一のデータ記憶装置４１０を利用している実施例を示す。この実施例において、格納装置４２０の上壁又は蓋４２２は第１のハッチを成し、このハッチは、点４９５を軸支点として蝶番で取り付けられ、溶融可能なスペーサ４７１によって図７Ａに示す開位置に保持される。第２のハッチ４５２を格納装置４２０の底壁４２１内に形成した開口部４３１に近設する。ハッチ４５２は軸支点４９６を中心に回転し、溶融可能なスペーサ４７２によって図７Ａに示す開位置に保持される。送風機４４０は開口部４３１を通して内向きに空気を吸い込み、データ記憶装置４１０を横切って上向きに循環させ、上方へ排気され、また持ち上げられたハッチ４５１の下方で外側へ排気される。
【００３２】
図７Ｂは、閾値温度を検出し、溶融可能な素子４７１，４７２が溶融したときに、ハッチ４５１，４５２が重力によって閉じられた状態を示す。
【００３３】
図８Ａ，８Ｂは、６つの異なる「ラックマウント型」のデータ記憶装置５１０〜５１５を配置する格納装置５２０を有する実施例を示す。格納装置５２０は、大きな通路５３１，５３２を内部に形成する側壁５２３，５２４を有する。ハッチ５５１，５５２を通路５３１，５３２に近設する。ハッチ５５１，５５２の形状は矩形又は弓形でもよい。ハッチ５５１，５５２は、十分な気流が６つ全てのデータ記憶装置５１０〜５１５を冷却することができるほどに十分に大きい。４つの送風機５４０〜５４３を、６つのデータ記憶装置を十分に冷却するように配置する。ハッチ５５１，５５２のサイズが相対的に大きいので、複数のバネを利用する。２つのバネ５６１ａ，５６１ｂによりハッチ５５１をブラケット５６５に接続する。同様にバネ５６２ａ，５６２ｂによりハッチ５５２をブラケット５６６に接続する。２つの溶融可能なタブ５７１ａ，５７１ｂはハッチ５５１を開位置に保持する。同様に溶融可能なタブ５７２ａ，５７２ｂはハッチ５５２を図８Ａに示す開位置に保持する。
【００３４】
図８Ｂは、タブ５７１ａ，５７１ｂ，５７２ａ，５７２ｂが溶融して、ハッチ５５１，５５２が各閉位置へ移動した状態を示す。
【００３５】
図９Ａ、９Ｂは、格納装置６２０及び６つの「ラックマウント型」のデータの記憶装置６１０〜６１５を有する実施例を示す。側壁６２３は４つの通路６３１〜６３４を有する。ハッチ６５１〜６５４を開口部６３１〜６３４に近設する。個々の送風機６４０〜６４３を開口部５３１〜６３４に近設して、「強制対流」により外気をデータ記憶装置６１０〜６１５を横切って移動させる。側壁６２４は４つの排気路６３５〜６３８を有し、冷却空気はそれらを通り矢印で示すように排気される。溶融可能なタブ６７１，６７２は図９Ａに示す８つのハッチを図示された開位置にそれぞれ保持する。バネ６６１は８つ全てのハッチを開位置に保持する。
【００３６】
図９Ｂは、閾値温度が検出され溶融可能なタブが溶融し、バネ６６１が８つ全てのハッチ６５１〜６５８を閉じたときの状態を示す。
【００３７】
図１０Ａ，１０Ｂ，１１Ａ，１１Ｂは、閾値温度を検出すると、１つ以上の可動ハッチを閉じるために封入した蒸発物質を利用する他の実施例を示す。図１０Ａは、単一のデータ記憶装置７１０を収納している格納装置７２０を示す。側壁７２３及び側壁７２４は、内部にそれぞれ通路７３１，７３２を形成する。送風機７４０は空気を、データ記憶装置７１０を横切る矢印が示すように内向きに流して、通路７３２を通って外向きに流す。ハッチ７５１，７５２は、一般に吸気路７３１に近接した位置から排気路７３２に近接した位置まで伸長するピストン管７５９の中に摺動可能に配設される。ハウジング７９０は、所定の温度（例えば華氏３００度）にさらされていると膨張する蒸発物質を含む。
【００３８】
図１０Ｂは、閾値温度が検出されるときに、ハウジング７９０内の蒸発物質が活性化し、横方向に配設されたピストン７５９の中へ膨張し、ハッチ７５１，７５２を矢印７５９が示すように外向きに移動させ、通路７３１，７３２を密閉した状態を示す。
【００３９】
図１１Ａ，１１Ｂは、２つのハッチを閉じるために蒸発物質を「形状記憶」材料と共に利用している第２の実施例を示す。図１１Ａは、単一のデータ記憶装置８１０を収納している格納装置８２０を示す。側壁８２３，８２４は、内部にそれぞれ通路８３１，８３２を形成する。送風機８４０は空気を、吸気路８３１を通ってデータ記憶装置８１０を横断させ、排気路８３２を通って外向きに流す。第１の可動ハッチ８５１を通路８３１に近設して、膨張可能なブラダー（袋体）８９５で適当な位置に保持する。ブラダー８９５はブラケット８６５に接続される。ブラダー８９５と流体連通しているハウジング８９０内に蒸発物質を含む。閾値温度が検出されるときに、図１１Ｂに示すように、容器８９０からの蒸発流体は活性化し、ブラダー８９５を膨張させ、ハッチ８５１を閉じる。第２のハッチ８５２を、「形状記憶」バネ８６２により適当な位置に保持する。バネ８６２はハッチ８５２を図１１Ａに示す開位置に保持する。バネ８６２は、図１１Ｂに示す下向き姿勢に移動することにより、所定の閾値温度（例えば華氏３００度）に反応して、ハッチ８５２を通路８３２と密閉する閉位置まで移動する。
【００４０】
図１２Ａ〜１８Ｂは、１つ以上のハッチ用の作動機構の一部として１つ以上のソレノイドを利用している他の実施例を示す。各ソレノイドは温度センサに電気的に接続され、閾値温度が検出されるときに起動する。図１２Ａは、単一のデータ記憶装置９１０を収納している格納装置９２０を示す。格納装置９２０の蓋９２２は、点９９５を軸に蝶番で取り付けられた単一の可動ハッチ９５１を成す。ハッチ９５１を、ソレノイド９７１により図１２Ａに示す開位置に保持する。ソレノイド９７１を温度センサ９９１に接続する。送風機９４０は上記の通りにデータ記憶装置９１０を冷却する。センサ９９１によって閾値温度が検出されるときに、ソレノイド９７１が起動して、アーム９７２を収縮させることにより、ハッチ９５１を閉じる。
【００４１】
図１３Ａはデータ記憶装置１０１０を収納している格納装置１０２０を示す。格納装置１０２０の蓋１０２２は、ハッチ１０５１を成して、複数のタブ１０７１，１０７２により図１３Ａに示す開位置に保持される。第２のハッチ１０５２を、側壁１０２４内に形成した通路１０３２に近設する。ソレノイド１０７２をブラケット１０６５に配設して、ハッチ１０５２を図１３Ａに示す開位置に保持する。ソレノイド１０７２を温度センサ１０９１に接続する。ハッチ１０５２の開位置において、図１３Ａに示すように、ソレノイド１０７２は収納位置の中にアームを有する。
【００４２】
図１３Ｂは格納装置１０２０の閉位置を示す。閾値温度が検出された後、複数のタブ１０７１，１０７２は、溶融して重力によりハッチ１０５１を閉じるという意味で「起動する」。温度センサ１０９１は、ソレノイド１０７２を起動させて又はソレノイド１０７２に電圧を付加させて、ハッチ１０５２が開口部１０３２を密閉する伸展位置へアームを移動させた。
【００４３】
図１４Ａ，１４Ｂは、格納装置１１２０が単一のデータ記憶装置１１１０を収納している他の実施例を示す。側壁１１２４は、内部に吸気路１１３１及び排気路１１３２を形成する。第１のハッチ１１５１及び第２のハッチ１１５２を、開口部１１３１，１１３２に近設する。ソレノイド１１７１，１１７２は、ハッチ１１５１，１１５２を図１４Ａに示す開位置に保持する。温度センサ１１９１を、ソレノイド１１７１，１１７２と両方に接続する。図１４Ｂは閉位置を示し、検出素子１１９１が閾値温度を検出し、ソレノイド１１７１，１１７２に電圧を付加して、ハッチ１１５１，１１５２を閉じた伸展位置へ、これらのソレノイドによりアーム１１７１ａ，１１７２ａを移動させた状態である。
【００４４】
図１５Ａは、格納装置１２２０が単一のデータ記憶装置１２１０を収納している他の実施例を示す。側壁１２２４は、送風機１２４０のための吸気路を成す第１の通路１２３１を内部に形成する。第１のハッチ１２５１を、点１２９８を軸支点として蝶番で取り付け、溶融可能なタブ１２７１により図１５Ａに示す開位置に保持する。第２の排気路１２３２を側壁１２２３内に形成する。第２のハッチ１２５２を、開口部１２３２に隣接して、点１２９９を軸支点として蝶番で取り付ける。この実施例において、閾値温度が検出されるときに、溶融可能な素子１２７１が溶融し、バネ１２６１が伸長することにより第１のハッチ１２５１を閉じることができる。温度センサ１２９１がソレノイドアーム１２７２ａを伸長することにより、ソレノイド１２７２が起動し、第２のハッチ１２５２を閉じる。
【００４５】
図１６Ａは、格納装置１３２０が単一のデータ記憶装置１３１０を収納している他の実施例を示す。側壁１３２３は内部に第１の開口部１３３１を形成する。第１のハッチ１３５１を、吸気路１３３１に隣接して、点１３９９を軸支点として蝶番で取り付ける。溶融可能なタブ１３７１は、ハッチ１３５１を図１６Ａに示す開位置に保持する。第２のハッチ１３５２は、側壁１３２４内に形成された第２の通路、すなわち排気路１３３２に回転可能に近設される。ハッチ１３５２を、第１の滑車１３７６を越えて延在するケーブル１３７５により図１６Ａに示す開位置に保持する。第２の滑車１３７７は、ソレノイド１３７１によって担持されて、ブラケット１３６５に取り付けられる。ソレノイド１３７１を温度センサ１３９１に接続する。
【００４６】
閾値温度に達するときに、図１６Ｂに示すように、溶融可能なタブ１３７１が溶融して、バネ１３６１により第１のハッチ１３５１を閉じることができる。ソレノイド１３７１は、図１６Ａに示す収納位置から図１６Ｂに示す伸展位置まで移動する。ここにおいて、滑車１３７６，１３７７と相互作用しているアーム１３７１ａによりハッチ１３５２を閉じる。
【００４７】
図１７Ａは、格納装置１４２０が５つのデータ記憶装置１４１０〜１４１４を収納している他の実施例を示す。側壁１４２３は内部に第１の通路１４３１を形成し、側壁１４２４は内部に第２の通路１４３２を形成する。可動ハッチ１４５１は点１４５１ａを軸に側壁１４２３に、可動ハッチ１４５２は点１４５２ａを軸に側壁１４２４に、それぞれ蝶番で連結される。ソレノイド１４７１，１４７２は、ハッチ１４５１，１４５２を図１７Ａに示す開位置に保持する。温度センサ１４９１，１４９２を、ソレノイド１４７１，１４７２に、それぞれ接続する。
【００４８】
図１７Ｂに示すように、閾値温度が検出されるときに、ソレノイド１４７１，１４７２は収納位置へ移動し、それによって、ハッチ１４５１，１４５２を閉じる。
【００４９】
図１８Ａは、格納装置１５２０が５つの別々のデータ記憶装置１５１０〜１５１４を収納している実施例を示す。側壁１５２３は内部に第１の通路１５３１を形成し、側壁１５２４は内部に第２の通路１５３２を形成する。第１のハッチ１５５１は、側壁１５２３の上部に近接した点１５５１ａを軸に蝶番で取り付けられる。第２のハッチ１５５２は、側壁１５２４の底部に近接した点１５５２ａを軸に蝶番で取り付けられる。ソレノイド１５７１，１５７２は、ハッチ１５５１，１５５２を図１８Ａに示す開位置に保持する。温度センサ１５９１，１５９２が閾値温度にさらされるときに、それら温度センサはソレノイド１５７１，１５７２に電圧を付加し、図１８Ｂに示すように、ソレノイドアームによりハッチ１５５１，１５５２を伸長させ、閉じる。
【００５０】
図１７Ａ，１７Ｂ，１８Ａ，１８Ｂに示す実施例は、図１７Ａに示すように、ハッチを側壁の最上部に近接して蝶番で取り付け、外向きに伸長することができるか、又は、図１８Ａに示すように、ハッチを側壁の反対端に蝶番で取り付け、開位置で平行面を形成することができる。
【００５１】
本発明の前述の説明は、図示及び説明のために示したものであり、包括的であることを意図せず、開示した厳密な形式に本発明を制限することを意図していない。上記説明を考慮に入れ改良及び変更が可能である。考え得る個々の使用に適した種々の改善と共に、種々の実施態様における本発明を、当業者が最良に利用できるように、本発明及び実装置の原理を最良に説明するための実施例を選択し、記載した。本発明の範囲は、特許請求の範囲によって定義されるとする。
【産業上の利用可能性】
【００５２】
かくして本発明の装置によれば、ディジタルデータ記憶装置用の耐火性の格納装置を強制空冷システムにより冷却及び小型化できる。
【図面の簡単な説明】
【００５３】
【図１】火災が検出される前で装置が使用中である状態を示す、本発明の一実施例の概略図である。
【図２】火災が検出された後の装置の状態を示す、図１に示す装置の概略図である。
【図３Ａ】図１，２に示す実施例で使用された可動ハッチ及び感温スペーサの概略図である。
【図３Ｂ】他の可動ハッチの概略図である。
【図４】他の可動ハッチの概略図である。
【図５】本発明の他の実施例の構成部品の分解斜視図である。
【図６】一実施例の概略図であり、図６Ａは、単一の可動ハッチを溶融可能なタブによって開放状態で保持している状態を示し、図６Ｂ、は単一の可動ハッチが閉位置にある状態を示す。
【図７】格納装置の蓋が第１のハッチを成して、第２のハッチを底壁内に形成した実施例を示し、図７Ａは、両ハッチを溶融可能なスペーサによって共に開放状態で保持している状態を示し、図7Ｂは、溶融可能な素子が溶融した後の閉位置にある状態を示す。
【図８】６つの別々のデータ記憶装置を格納装置の中に配置した実施例を示し、図８Ａは、溶融可能なタブがハッチを開位置に保持している状態を示し、図８Ｂは、溶融可能なタブが溶融した後の閉位置にある状態を示す。
【図９】６つのラックマウント型のデータ記憶装置を格納装置の中に配置し、吸気路及び排気路を別々に配設した実施例を示し、図９Ａは、全てのハッチが開いた状態を示し、図９Ｂは、溶融可能なタブが溶融し全てのハッチが閉じた状態を示す。
【図１０】他の実施例を示し、図１０Ａは、２つのハッチが開いた状態を示し、図１０Ｂは、含有蒸発物質が膨張することにより２つのハッチを閉じた状態を示す。
【図１１】第１のハッチを起動させるために蒸発物質を利用し、第２のハッチを起動させるために形状記憶材料を利用している第２の実施例を示し、図１１Ａは両方のハッチが開いた状態を示し、図１１Ｂは両方のハッチが閉位置にある状態を示す。
【図１２】格納装置の蓋が、ソレノイドによって起動する単一の可動ハッチを成す実施例を示し、図１２Ａは、ハッチが開いた状態を示し、図１２Ｂは、ソレノイドが起動した後の閉位置にある状態を示す。
【図１３】２つのソレノイドによって起動する２つのハッチを利用している実施例を示し、図１３Ａは、ハッチが開いた状態を示し、図１３Ｂは、ソレノイドが起動した後の閉位置にある状態を示す。
【図１４】別々のソレノイドを有する２つのハッチを単一の感温素子に接続している実施例を示し、図１４Ａは、ハッチが開いた状態を示し、図１４Ｂは、閉位置にある状態を示す。
【図１５】第１のハッチを溶融可能なタブによって開放状態で保持し、第２のハッチはソレノイドによって起動する他の実施例を示し、図１５Ａは、ハッチが開いた状態を示し、図１５Ｂは、閉位置にある状態を示す。
【図１６】第１のハッチを溶融可能なタブによって開放状態で保持し、第２のハッチをケーブル及び滑車を用いた機構、滑車の１つはソレノイドにより担持され、ソレノイドが起動するとケーブルを伸長させハッチの１つを閉じる機構、により保持する他の実施例を示し、図１６Ａは、ハッチが開いた状態を示し、図１６Ｂは、閉位置にある状態を示す。
【図１７】５つのデータ記憶装置が格納装置の中に備えられ、２つの比較的大きなハッチをソレノイドによって起動する他の実施例を示し、図１７Ａは、ハッチが開いた状態を示し、図１７Ｂは、閉位置にある状態を示す。
【図１８】比較的大きなハッチが側壁の２つに形成され、このハッチをソレノイドによって起動する他の実施例を示し、図１８Ａは、ハッチが開いた状態を示し、図１８Ｂは、閉位置にある状態を示す。
【図１】
2007535074.tif 000003
【図２】
2007535074.tif 000004
【図３Ａ】
2007535074.tif 000005
【図３Ｂ】
2007535074.tif 000006
【図４】
2007535074.tif 000007
【図５】
2007535074.tif 000008
【図６Ａ】
2007535074.tif 000009
【図６Ｂ】
2007535074.tif 000010
【図７Ａ】
2007535074.tif 000011
【図７Ｂ】
2007535074.tif 000012
【図８Ａ】
2007535074.tif 000013
【図８Ｂ】
2007535074.tif 000014
【図９Ａ】
2007535074.tif 000015
【図９Ｂ】
2007535074.tif 000016
【図１０Ａ】
2007535074.tif 000017
【図１０Ｂ】
2007535074.tif 000018
【図１１Ａ】
2007535074.tif 000019
【図１１Ｂ】
2007535074.tif 000020
【図１２Ａ】
2007535074.tif 000021
【図１２Ｂ】
2007535074.tif 000022
【図１３Ａ】
2007535074.tif 000023
【図１３Ｂ】
2007535074.tif 000024
【図１４Ａ】
2007535074.tif 000025
【図１４Ｂ】
2007535074.tif 000026
【図１５Ａ】
2007535074.tif 000027
【図１５Ｂ】
2007535074.tif 000028
【図１６Ａ】
2007535074.tif 000029
【図１６Ｂ】
2007535074.tif 000030
【図１７Ａ】
2007535074.tif 000031
【図１７Ｂ】
2007535074.tif 000032
【図１８Ａ】
2007535074.tif 000033
【図１８Ｂ】
2007535074.tif 000034
【国際調査報告】
2007535074.tif 000035